(57)【要約】【課題】センタコア１０を中心部に固着したディスク５の表面と対向するロータリーシャッタの上下シャッタ部材７Ｕ，７Ｄの内面にライナ１３が貼付されてなるディスクカートリッジにおいて、ディスクカートリッジ使用前に、ライナ１３によるディスク５の表面のクリーニングを可能にする。【解決手段】センタコア１０の中心孔１０ａの内周縁に、ローディング時にセンタコア１０が片寄せられたときに上シャッタ部材７Ｕの軸支部材の先端部１１と係合して、ディスク５を非回転状態に係止し得る複数の係合凹部１５を設け、ディスクカートリッジ１のローディング時のロータリーシャッタの開動作に連動してクリーニングを行なう。【選択図】          図２
2004152396.tif 000002
【特許請求の範囲】
【請求項１】
上シェルおよび下シェルを備えたハウジング内に、中心孔を備えたセンタコアを中心部に固着した円盤状の情報記録ディスクが、前記下シェルの中心部に形成された開口から前記センタコアを外部に臨ませる態様で収容されたディスクカートリッジであって、前記ハウジングに形成されたヘッドアクセス用の開口を前記ディスクカートリッジのローディング・アンローディング動作に連動して開閉するロータリーシャッタが前記ハウジングに回転可能に軸支され、前記ロータリーシャッタのディスク表面と対向する内面に、該ディスク表面のクリーニング部材としてのライナが貼付されてなるディスクカートリッジにおいて、
前記上シェルに設けられた前記ロータリーシャッタの軸支部材の先端部が前記センタコアの中心孔内に介入しているとともに、前記ディスクカートリッジのローディング・アンローディング動作の開始に伴って、前記センタコアが、該センタコアの中心孔の内周縁に前記軸支部材の先端部が当接するまで片寄せられるように構成されており、
前記センタコアの中心孔の内周縁に、該センタコアが片寄せられたときに前記軸支部材の先端部と係合して前記ディスクを非回転状態に係止し得る複数の係合凹部が形成されていることを特徴とするディスクカートリッジ。
【請求項２】
前記上シェルに設けられた前記ロータリーシャッタの軸支部材が、前記上シェルの内面に突設された円筒体からなり、該円筒体の先端に固定された抜止め部材が、前記係合凹部に対する係合手段を構成していることを特徴とする請求項１記載のディスクカートリッジ。
【請求項３】
前記複数の係合凹部が、２０度ないし３０度の等角度間隔を保って前記センタコアの中心孔の内周縁に沿って形成されていることを特徴とする請求項１または２記載のディスクカートリッジ。
【発明の詳細な説明】
【０００１】
【発明の属する技術分野】
本発明は、センタコアを中心部に固着した情報記録ディスクをハウジング内に収容してなる小型ディスクカートリッジに関し、特に記録再生ヘッドアクセス用の開口を開閉するためにハウジングに回転可能に設けられたロータリーシャッタの上記ディスクの表面と対向する内面に、このディスク表面のクリーニング部材としてのライナが貼付されてなるディスクカートリッジにおけるセンタコアの構造に関するものである。
【０００２】
【従来の技術】
例えばフロッピー（Ｒ）ディスクのような回転ディスクを記録媒体とするディスクシステムにおいて、記録再生ヘッドおよびディスクのクリーニングは、信頼性および耐久性を得る上で極めて重要な項目であり、現在使用されている磁気ディスクシステムでは、磁気ヘッドはドライブ装置側に設けられたクリーニング機構でクリーニングされ、磁気ディスクはディスクカートリッジに設けられたライナでクリーニングされることが一般的となっている。そして、今後のディスクシステムの傾向として、高容量化、高密度化に進むこと必定であり、クリーニングはさらに重要性を増すものと考えられる。
【０００３】
また、上記高容量化、高密度化の傾向と並行して、ディスクシステムの小型化も進んでおり、ドライブ装置側にヘッドクリーニング機構を設けるスペースが益々狭くなっている。例えば特許文献１に記載されているような、「ｃｌｉｋ！（Ｒ）」と呼ばれる１．８インチ（約４６ｍｍ）ディスクを備えた磁気ディスクカートリッジでは、カード型のドライブ装置側にヘッドクリーナを設けるスペースがないため、カートリッジ側でのライナによるディスクのクリーニングのみに頼っている現状である。
【０００４】
上記「ｃｌｉｋ！（Ｒ）」と呼ばれる磁気ディスクカートリッジでは、上下シェルハウジングに形成されたヘッドアクセス用の開口を開閉するために、ロータリーシャッタがハウジングに回転可能に設けられ、このロータリーシャッタのディスク表面と対向する内面に、クリーニング部材としてのライナが貼付されている。
【０００５】
上記ロータリーシャッタは、カード型ドライブ装置のスロットにカートリッジが挿入される態様でローディングされるとき、およびアンローディングされるとき、それぞれロータリーシャッタが約６０度回転して、ヘッドアクセス用の開口を開閉するように構成されている。
【０００６】
【特許文献１】米国特許第６２５６１６８号公報
【０００７】
【発明が解決しようとする課題】
ところで、ディスクカートリッジのディスクへの異物の付着が生じた場合、使用前にディスクをクリーニングすることが理想的であるが、ライナはディスクが回転しないとクリーニング機能を発揮しないため、使用前にディスクをクリーニングすることは不可能である。使用前にディスクがクリーニングされていない場合、カートリッジがローディングされた直後にヘッドに異物が噛み込む虞れがあり、重大な品質故障を発生させる懸念がある。
【０００８】
また、上述の「ｃｌｉｋ！（Ｒ）」と呼ばれる磁気ディスクカートリッジにおいては、ディスクカートリッジのロータリーシャッタの開閉動作に伴って約６０度回動されるライナの摩擦作用でロータリーシャッタとディスクも一緒に回転してしまい、ライナとディスクとの間に相対回転は生じないからやはり使用前にディスクをクリーニングすることは不可能である。
【０００９】
上述の事情に鑑み、本発明は、上記「ｃｌｉｋ！（Ｒ）」のように、上シェルおよび下シェルを備えたハウジング内に、中心孔を備えたセンタコアを中心部に固着した円盤状の情報記録ディスクが、上記下シェルの中心部に形成された開口から上記センタコアを外部に臨ませる態様で収容されたディスクカートリッジであって、上記ハウジングに形成されたヘッドアクセス用の開口をこのディスクカートリッジのローディング・アンローディング動作と連動して開閉するロータリーシャッタが上記ハウジングに回転可能に軸支され、上記ロータリーシャッタのディスク表面と対向する内面に、ディスク表面のクリーニング部材としてのライナが貼付されてなるディスクカートリッジにおいて、ローディング時のロータリーシャッタの回転動作に伴って、ライナによりディスク表面をクリーニングすることを可能にしたディスクカートリッジを提供することを目的とするものである。
【００１０】
【課題を解決するための手段】
本発明によるディスクカートリッジは、上記上シェルに設けられた上記ロータリーシャッタの軸支部材の先端部が上記センタコアの中心孔内に介入しているとともに、このディスクカートリッジのローディング・アンローディング動作の開始に伴って、上記センタコアが、このセンタコアの中心孔の内周縁に上記軸支部材の先端部が当接するまで片寄せられるように構成されており、上記センタコアの中心孔の内周縁に、このセンタコアが片寄せられたときに上記軸支部材の先端部と係合して上記ディスクを非回転状態に係止し得る複数の係合凹部が形成されていることを特徴とするものである。
【００１１】
上記上シェルに設けられるロータリーシャッタの軸支部材は、上シェルの内面に突設された円筒体で構成することができ、この円筒体の先端に固定された抜止め部材によって、上記係合凹部に対する係合手段を構成することができる。
【００１２】
上記複数の係合凹部は、２０度ないし３０度の等角度間隔を保って上記センタコアの中心孔の内周縁に沿って形成されていることが好ましい。
【００１３】
【発明の効果】
本発明によれば、上記センタコアの中心孔の内周縁に、このディスクカートリッジのローディング・アンローディング動作の開始に伴ってこのセンタコアが片寄せられたときに上記軸支部材の先端部と係合し得る複数の係合凹部が形成されていることにより、ローディング時には、上記係合凹部のいずれか一つが上記軸支部材の先端部に係合してディスクの回転が阻止され、ディスクが静止した状態でロータリーシャッタがライナとともに開方向へ回転するから、この相対回転の間にディスクの表面がライナによってクリーニングされる。したがって、カートリッジがローディングされた直後にヘッドに異物が噛み込むという虞れを回避することができる。
【００１４】
そして、ディスクカートリッジがドライブ装置にローディングされると、センタコアがドライブスピンドルに嵌着されることによってセンタコアがセンタリングされるから、上記係合凹部と上記軸支部材の先端部との干渉は発生しない。
【００１５】
また、ローディング時に、いずれか一つの係合凹部の位置が軸支部材の先端部と一致していれば、直ちにその係合凹部と軸支部材の先端部とが係合して、上記ディスクが回転しないように係止されるから、ロータリーシャッタの回転角を例えば６０度とした場合、ローディング時に上記ライナはディスクに対して６０度相対回転を行なって、ディスクの表面をクリーニングすることになる。
【００１６】
一方、ローディング時に、たとえいずれか一つの係合凹部の位置が軸支部材の先端部と一致していない場合であっても、上記複数の係合凹部が、例えば２０度の角間隔を保ってセンタコアの中心孔の内周縁に形成されているとすると、センタコアおよびディスクがロータリーシャッタとともに最大でも２０度回転すれば、上記軸支部材の先端部が上記複数の係合凹部のいずれか一つと係合して上記ディスクを係止するから、上記ライナはディスクに対して少なくとも４０度の相対回転を行なってディスクの表面をクリーニングすることになる。
【００１７】
【発明の実施の形態】
以下、本発明の実施の形態について、図面を参照して詳細に説明する。
【００１８】
図１（ａ），（ｂ）は本発明によるディスクカートリッジを示す平面図および底面図である。また図２（ａ）は、図１（ｂ）のＩＩ−ＩＩ線に沿った中心部の拡大断面図、図３（ａ）は図２（ａ）の矢印ＩＩＩ  方向から見た要部の底面図である。なお、このディスクカートリッジの基本的構造は、前述した「ｃｌｉｋ！（Ｒ）」と呼ばれる磁気ディスクカートリッジと同様である。
【００１９】
この磁気ディスクカートリッジ１は、押込み部２ａを含む樹脂製のフレーム２と、金属薄板からなる上シェル３および下シェル４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。磁気ディスク５の中央部には、中心孔１０ａを備えたセンタコア１０が固着されている。
【００２０】
この磁気ディスクカートリッジ１は、幅５３ｍｍ、奥行き８５ｍｍ、厚さ５ｍｍの外寸を有するＴＹＰＥＩＩ  ＰＣカード型のドライブ装置（図略）が備えているスロットに挿入形式でローディングされるように構成され、上下シェル３，４には、上記ドライブ装置が備えている記録再生用磁気ヘッドを磁気ディスク５の表面にアクセスさせるためのＶ字状の開口６が形成され、上下シェル３，４の内側には、上記開口６を回転式に開閉するための開口７ａを備えたロータリーシャッタ７が、図示しないバネ部材によって閉方向に付勢された態様で設けられている。
【００２１】
ロータリーシャッタ７は、互いに係合された上下のシャッタ部材７Ｕ，７Ｄからなり、図２（ａ）に示すように、上シャッタ部材７Ｕは、上シェル３の下面から内方へ突出する小径の円筒体３ａによって回転可能に軸支され、かつ円筒体３ａの先端には、上シャッタ部材７Ｕの円筒体３ａからの抜出しを防止するためのセンタピンと呼ばれる抜止め部材１１が溶接されている。そして、このセンタピン１１は上記センタコア１０の中心孔１０ａ内に介入している。
【００２２】
下シェル４の中央部には、センタコア１０を外部に臨ませる円形の開口４ａが形成され、下シャッタ部材７Ｄの中心部には、下シェル４の開口４ａの周縁に遊嵌される大径の円筒体７Ｄａが下方へ向かって突設されて、この円筒体７Ｄａによって下シャッタ部材７Ｄが下シェル４に回転可能に軸支されているとともに、円筒体７Ｄａの先端部がカシメられて、下シャッタ部材７Ｄの下シェル４からの抜出しを防止するフランジ１２が形成されている。
【００２３】
さらに下シェル４には、ロータリーシャッタ７と同心的な円弧状溝４ｂが形成され、下シャッタ部材７Ｄには、図１（ｂ）に示すように、上記円弧状溝４ｂから突出しかつこの円弧状溝４ｂに沿って移動してロータリーシャッタ７を開閉するシャッタノブ７ｂが固設されている。そして、ドライブ装置に対する磁気ディスクカートリッジ１のローディング動作に伴って、ドライブ装置の係合壁面がシャッタノブ７ｂに係合して、ロータリーシャッタ７がその開口７ａを上下シェル３，４の開口６に一致させる位置まで約６０度回転されることにより、磁気ディスク５を上下シェル３，４の開口６から露出させるように構成されている。
【００２４】
上シャッタ部材７Ｕおよび下シャッタ部材７Ｄの磁気ディスク５に対向する内面には、クリーニング部材としてのライナ１３がそれぞれ貼付けられており、磁気ディスク５およびセンタコア１０は、図２（ａ）および図３（ａ）に示す中心位置からセンタコア１０の中心孔１０ａの内縁がセンタピン１１に当接する範囲内で、図１の紙面と平行な面内で移動可能になっているが、この磁気ディスクカートリッジ１がドライブ装置にローディングされると、ドライブスピンドルにセンタコア１０に嵌着されることによってセンタコア１０がセンタリングされる。
【００２５】
上シャッタ部材７Ｕの抜止め部材としてのセンタピン１１は、図２（ａ）に示すようにセンタコア１０の中心孔１０ａ内に介入しているが、図３（ａ）から明らかなように、この磁気ディスクカートリッジ１のドライブ装置に対する挿入・排出方向、すなわち前後方向（図１の上下方向、図２および図３の左右方向）に細長く形成されている。また、センタコア１０の中心孔１０ａの内周縁には、上記センタピン１１の前端部１１ａおよび後端部１１ｂが係合可能な複数の係合凹部１５が、好ましくは２０度ないし３０度の等角度間隔を保ってこの内周縁に沿って形成されている。
【００２６】
以上の構成において、センタコア１０の底面１０ｂは、下シェル４の開口４ａから若干下方へ突出しており、磁気ディスクカートリッジ１が図２の左方へ向かってドライブ装置に挿入されてローディングされる場合、センタコア１０の底面１０ｂがドライブ装置の部材上をスライドすることによって、図２（ｂ）に示すように、センタコア１０が磁気ディスク５とともに、挿入方向のトレーリング側（右側）に片寄せられ、中心孔１０ａの内周縁がセンタピン１１の前端部１１ａに押し付けられる。
【００２７】
このとき、センタコア１０の複数の係合凹部１５のいずれか一つの位置がセンタピン１１の前端部１１ａと一致していれば、図３（ｂ）に示すように、センタピン１１の前端部１１ａがその係合凹部１５と係合して、磁気ディスク５が係止される。そして、これと略同時にロータリーシャッタ７の開方向への回動が開始されるから、ロータリーシャッタ７が開位置まで例えば６０度回動する間に、ロータリーシャッタ７の内面に貼付けられているライナ１３によって磁気ディスク５の表面がクリーニングされる。
【００２８】
また、センタコア１０の中心孔１０ａの内周縁がセンタピン１１の前端部１１ａに押し付けられたとき、センタコア１０の複数の係合凹部１５のいずれか一つの位置がセンタピン１１の前端部１１ａと一致していなくとも、ロータリーシャッタ７の回動が開始されるに伴って、ライナ１３の磁気ディスク５に対する摩擦力によって、磁気ディスク５がロータリーシャッタ７とともに回動されるから、最大でも３０度（実際はもっと少ない）回動される中には、係合凹部１５の一つが必ずセンタピン１１の前端部１１ａと一致するから、磁気ディスク５が係止される。したがって、ロータリーシャッタ７が残りの少なくとも３０度回動される間に、ライナ１３によって磁気ディスク５の表面がクリーニングされることになる。
【００２９】
なお、このようなクリーニング動作は、アンローディング時に磁気ディスクカートリッジ１が図２の右へ向かってドライブ装置から排出されるときにも行われる。この場合は、図２（ｃ）に示すように、センタコア１０が磁気ディスク５とともに、排出方向のトレーリング側（左側）に片寄せられ、中心孔１０ａの内周縁がセンタピン１１の後端部１１ｂに押し付けられ、ローディング時と同様の態様でセンタピン１１の後端部１１ｂがセンタコア１０の係合凹部１５の一つに係合して係止され、ロータリーシャッタ７が閉位置に復帰する間に磁気ディスク５の表面がクリーニングされる。
【００３０】
以上の説明で明らかなように、本実施の形態によれば、センタコア１０の中心孔１０ａの内周縁に、この磁気ディスクカートリッジ１のローディング・アンローディング動作の開始に伴ってこのセンタコア１０が片寄せられたときにセンタピン１１と係合し得る複数の係合凹部１５が形成されていることにより、ローディング時には、センタピン１１と係合凹部１５のいずれか一つとの係合により、センタコア１０とともに磁気ディスク５が回転しないように係止された状態になり、この状態でロータリーシャッタ７がライナ１３とともに開方向へ回転するから、この相対回転の間に磁気５ディスクの表面がライナ１３によってクリーニングされる。
【００３１】
したがって、カートリッジがローディングされた直後にヘッドに異物が噛み込むという虞れを回避することができる。
【００３２】
なお、上述の実施の形態では、センタコア１０の係合凹部１５が３０度の等角度間隔を保って形成されているが、この係合凹部１５は数が多い方が好ましく、また、係合凹部１５と係合するセンタピン１１の形状も、係合凹部１５の形状に合わせて任意に選択すればよい。
【００３３】
また、本実施の形態は、本発明を磁気ディスクカートリッジに適用した場合であるが、これに限らず、その他のディスクカートリッジにも適用可能なことは言うまでもない。
【図面の簡単な説明】
【図１】図１（ａ），（ｂ）は本発明によるディスクカートリッジの実施の形態を示す平面図および底面図
【図２】図２（ａ）は、図１（ｂ）のＩＩ−ＩＩ線に沿った中心部の拡大断面図、図２（ｂ），（ｃ）はセンタコアが図２（ａ）に示す位置から片寄せられた状態を示す拡大断面図
【図３】図３（ａ）は図２（ａ）の矢印ＩＩＩ  方向から見た要部の底面図、図３（ｂ），（ｃ）はセンタコアが図３（ａ）に示す位置から片寄せられた状態を図２（ｂ），（ｃ）にそれぞれ対応させて示す要部の底面図
【符号の説明】
３    上シェル
３ａ    円筒体（軸支部材）
４    下シェル
５    磁気ディスク
７    ロータリーシャッタ
７Ｕ    上シャッタ部材
７Ｄ    下シャッタ部材
１０    センタコア
１０ａ    センタコアの中心孔
１１    センタピン（軸支部材の先端部）
１３    ライナ
１５    係合凹部
【図１】
2004152396.tif 000003
【図２】
2004152396.tif 000004
【図３】
2004152396.tif 000005